(57)【特許請求の範囲】
【請求項１】
無線装置であって、
同じデータが含まれる複数の無線フレームを送信する通信部と、
バックオフの有無、前記無線装置の位置変化または前記無線装置とＧＰＳ衛星の時刻同期に関する情報のうちの少なくとも１つに基づいて、前記複数の無線フレームに含まれる無線フレーム毎に同期パターンとペイロードの比率を決定する制御部と、を備える、
無線装置。
【請求項２】
前記制御部は、前記無線フレーム毎に前記比率を自律的に決定する、
請求項１に記載の無線装置。
【請求項３】
前記制御部は、前記情報のうちの少なくとも１つと前記無線フレームが送信された回数に基づいて前記比率を決定する、
請求項１に記載の無線装置。
【請求項４】
前記制御部は、前記情報のうちの少なくとも１つに基づいて第１の値を決定し、前記回数に基づいて第２の値を決定し、前記第２の値を前記第１の値から引いて得られる第３の値を前記比率とする、
請求項３に記載の無線装置。
【請求項５】
前記制御部は、前記回数が閾値以下の場合、前記回数の増加に伴い前記第２の値を増加させる、
請求項４に記載の無線装置。
【請求項６】
前記制御部は、バックオフが有る場合の第１の値を、バックオフが無い場合の第１の値より大きな値に設定する、
請求項１に記載の無線装置。
【請求項７】
前記制御部は、前記位置変化が閾値以上である場合の第１の値を、前記位置変化が閾値より小さい場合の第１の値より大きな値に設定する、
請求項１に記載の無線装置。
【請求項８】
前記制御部は、前記時刻同期が行われてからの経過時間が閾値以上である場合の第１の値を、前記経過時間が閾値より小さい場合の第１の値より大きな値に設定する、
請求項１に記載の無線装置。
【請求項９】
前記制御部は、前記比率に基づいて前記同期パターンと前記ペイロードを時分割することで前記無線フレームを生成する、
請求項１に記載の無線装置。
【請求項１０】
前記制御部は、前記比率に基づいて前記同期パターンおよび前記ペイロードに割り当てられる信号電力を決定し、前記同期パターンと前記ペイロードを符号分割することで前記無線フレームを生成する、
請求項１に記載の無線装置。
【請求項１１】
無線装置によって実行される制御方法であって、
同じデータが含まれる複数の無線フレームを送信することと、
バックオフの有無、前記無線装置の位置変化または前記無線装置とＧＰＳ衛星の時刻同期に関する情報のうちの少なくとも１つに基づいて、前記複数の無線フレームに含まれる無線フレーム毎に同期パターンとペイロードの比率を決定することと、を有する、
制御方法。
【発明の詳細な説明】
【技術分野】
【０００１】
本開示は、無線装置、および制御方法に関する。
【背景技術】
【０００２】
近年、センサ機能を有する端末から無線通信により情報を収集するための無線センサネットワークが注目されている。無線センサネットワークの用途は、興味対象の位置を確認する用途、および興味対象の行動を管理する用途など、多岐に渡る。
【０００３】
無線通信においては、フレームに含まれるプリアンブルに基づいて無線信号の検知が行われる。プリアンブル長は検知性能に影響を及ぼすため、プリアンブル長の設定方法については、様々な研究開発が行われている。例えば、特許文献１には、通信環境に応じてフレームに占めるプリアンブル（トレーニング信号区間）の比率などの通信設定を変更する無線通信システムが開示されている。
【先行技術文献】
【特許文献】
【０００４】
【特許文献１】特開２０１４−１７９７５７号公報
【発明の概要】
【発明が解決しようとする課題】
【０００５】
ここで、プリアンブルのような同期パターンとペイロードの比率が固定的だと、通信に不都合が生じる場合がある。例えば、同期パターンの比率がある比率未満で固定されると劣悪な環境における無線信号の検出が困難になることが懸念される。一方、同期パターンの比率が上記比率以上で固定されると、同期パターンがオーバーヘッドとなり、通信の効率性が低下し得る。
【０００６】
そこで、本開示は、上記問題に鑑みてなされたものであり、本開示の目的とするところは、同期パターンとペイロードの比率の柔軟性を向上することが可能な、新規かつ改良された無線装置、および制御方法を提供することにある。
【課題を解決するための手段】
【０００７】
本開示によれば、同じデータが含まれる複数の無線フレームを送信する通信部と、前記複数の無線フレームに含まれる無線フレーム毎に同期パターンとペイロードの比率を決定する制御部と、を備える、無線装置が提供される。
【０００８】
また、本開示によれば、同じデータが含まれる複数の無線フレームを送信することと、
前記複数の無線フレームに含まれる無線フレーム毎に同期パターンとペイロードの比率を決定することと、を有する、制御方法が提供される。
【発明の効果】
【００１１】
以上説明したように本開示によれば、同期パターンとペイロードの比率の柔軟性を向上することが可能である。
【００１２】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１３】
【図１】本開示の実施形態に係る無線通信システムを示す図である。
【図２】センサ端末が送信するフレームの構成例を示す説明図である。
【図３】本開示の実施形態に係るセンサ端末の構成を示す図である。
【図４】本開示の実施形態に係る基地局の構成を示す図である。
【図５】センサ端末による無線信号の送信処理を示すフローチャートである。
【図６】センサ端末が、フレームに占める同期パターンの比率を決定する処理を示すフローチャートである。
【図７】フレームに占める同期パターンの比率が決定される処理に用いられる初期値Ｒ０の一例を示す図である。
【図８】基地局による無線信号の受信処理を示すフローチャートである。
【図９】基地局による受信信号の復調処理を示すフローチャートである。
【図１０】センサ端末が送信するフレームの変形例を示す図である。
【図１１】本開示の実施形態に係る基地局と情報処理装置のハードウェア構成を示す図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
１．無線通信システムの概要
２．各装置の構成
３．各装置の動作
４．変形例
５．ハードウェア構成
【００１６】
＜１．無線通信システムの概要＞
本開示の実施形態は、無線センサネットワークを形成する無線通信システムに関する。まず、図１を参照し、本開示の実施形態による無線通信システムの概要を説明する。
【００１７】
（１−１．無線通信システムの構成）
図１は、本開示の実施形態による無線通信システムの構成を示す説明図である。図１に示したように、本開示の実施形態による無線通信システムは、複数の基地局２００と、複数のセンサ端末１００と、アプリケーションサーバ３００と、を備える。
【００１８】
基地局２００は、センサ端末１００と無線通信を行う機能、および、アプリケーションサーバ３００と有線通信を行う機能を有する。例えば、基地局２００は、セル内に位置するセンサ端末１００と無線通信を行う。図１に示した例では、基地局２００Ａは、基地局２００Ａのセル内に位置するセンサ端末１００Ａ、１００Ｂおよび１００Ｃと無線通信を行い、基地局２００Ｂは、基地局２００Ｂのセル内に位置するセンサ端末１００Ｄ、１００Ｅ、１００Ｆおよび１００Ｇと無線通信を行う。特に、本実施形態による基地局２００は、センサ端末１００からセンサデータを受信し、当該センサデータをアプリケーションサーバ３００に送信する。
【００１９】
センサ端末１００は、センサ機能、および基地局２００と無線通信を行う機能を有する。例えば、センサ機能は、加速度センサ、ジャイロセンサ、温度センサ、気圧センサ、音圧センサ、脈拍センサまたはＧＰＳ（Ｇｌｏｂａｌ  Ｐｏｓｉｔｉｏｎｉｎｇ  Ｓｙｓｔｅｍ）などの、多様なセンサにより実現され得る。センサ端末１００は、センサ機能により取得したセンサデータを基地局２００に送信する。
【００２０】
アプリケーションサーバ３００は、センサ端末１００により得られたセンサデータを基地局２００から受信し、受信したセンサデータを用いたサービスを提供する。センサデータを用いたサービスは、興味対象の位置を確認するサービス、および興味対象の行動を管理するサービスなど、多岐に渡る。興味対象の位置を確認するサービスに関しては、例えば、ＧＰＳ機能を有するセンサ端末１００を高齢者や子供が装着し、アプリケーションサーバ３００が基地局２００を介してセンサ端末１００から位置情報を取得しておくことにより、家族や行政に高齢者や子供の位置を提供することが可能である。興味対象の行動を管理するサービスに関しては、例えば、加速度センサを有するセンサ端末１００を牛や豚などの家畜に装着させ、アプリケーションサーバ３００が基地局２００を介してセンサ端末１００から家畜の動きに関する情報を取得することにより、放牧地での家畜の行動管理を行うことが可能である。
【００２１】
なお、本実施形態においては無線装置の一例としてセンサ機能を有するセンサ端末１００を説明するが、センサ機能を有さない無線装置にも本実施形態を適用可能である。例えば、無線装置は、外部装置からデータを供給され、供給されたデータを基地局２００に送信してもよい。外部装置が自動販売機である場合、無線装置は、自動販売機から売上げデータが供給され、売上げデータを基地局２００に送信してもよい。なお、本実施形態においては通信装置の一例として基地局２００を説明する。
【００２２】
（１−２．無線通信の概要）
以上、本開示の実施形態による無線通信システムの構成を説明した。続いて、無線通信システムにおける基地局２００とセンサ端末１００との無線通信の概要を説明する。
【００２３】
−通信リソース
基地局２００とセンサ端末１００は、時間軸上で区分された各通信リソースの開始タイミングを共有する。当該共有は、例えば、基地局２００が時間同期のための基準信号を送信し、センサ端末１００が当該基準信号を受信することで実現され得る。しかし、センサ端末１００が当該基準信号の受信を継続的に行うと、相応の電力が消費される。このため、基地局２００とセンサ端末１００は、各々が管理する絶対時刻に基づいて各通信リソースの開始タイミングを共有してもよい。センサ端末１００は、例えば、上記絶対時刻をＧＰＳの受信処理により取得可能である。
【００２４】
−長距離伝送
無線通信システムをより低コストで実現するために、１つの基地局２００がカバーするセルエリアを広くすること、すなわち、長距離伝送が有効である。長距離伝送では、無線通信システムを構成する基地局２００の数を低減することが可能である。
【００２５】
また、利用可能な最大送信電力が制限されるようにセンサ端末１００のハードウェアを設計することにより、センサ端末１００のコストを下げることも可能である。しかし、送信電力が制限されると、通信可能な距離も制限される。この点に関し、センサ端末１００が低送信電力で長距離伝送を行う技術として、例えばセルラー通信で採用されているＨ−ＡＲＱ（Ｈｙｂｒｉｄ−ＡＲＱ）が存在する。Ｈ−ＡＲＱは、送信側が同一フレームを繰り返し送信し、受信側が複数のフレームを信号処理により合成することで、受信感度を向上するための技術である。
【００２６】
具体的には、Ｈ−ＡＲＱに従うセンサ端末１００は、基地局２００から受信確認（ＡＣＫ）が受信されるまで、あるいは、送信回数が上限に達するまで、フレームを繰り返し送信する。基地局２００は、新たなフレームが受信される度にフレーム合成を行い、復調に成功した場合にはセンサ端末１００にＡＣＫを送信する。
【００２７】
−フレーム構成
図２は、センサ端末１００が送信するフレームの構成例を示す説明図である。図２に示したように、センサ端末１００が送信するフレームは、同期パターン５０と、ペイロード６０と、を含む。また、ペイロード６０はデータ６１と、ＣＲＣ（Ｃｙｃｌｉｃ  Ｒｅｄｕｎｄａｎｃｙ  Ｃｈｅｃｋ）６２と、終端ビット６３とＦＥＣ（Ｆｏｒｗａｒｄ  Ｅｒｒｏｒ  Ｃｏｒｒｅｃｔｉｏｎ）パリティビット６４と、を含む。本開示の実施形態におけるフレームは、固定長であるとする。
【００２８】
同期パターン５０は、基地局２００においてフレームの検出のために用いられる信号パターンであり、プリアンブルとして機能する。データ６１は、アプリケーションサーバ３００における利用のためのデータであり、加速度情報や位置情報などのセンサデータが当該データ６１に含まれ得る。ＣＲＣ６２は、当該フレームの受信が成功したか否かの判断に用いられる。データ６１とＣＲＣ６２が終端ビット６３によって終端されＦＥＣ符号化される。例えば、畳み込み符号化、ＢＣＨ符号化またはＬＤＰＣ符号化などが行われる。そしてＦＥＣ符号化後に、誤り訂正符号としてＦＥＣパリティビット６４が挿入される。当該ＦＥＣパリティビット６４の利用により、基地局２００でのフレームの受信成功率が向上する。
【００２９】
基地局２００は、１または２以上の信号パターンと受信信号との相関演算を行うことによって、受信信号の同期パターン５０を検出する。より具体的に説明すると、基地局２００は、１または２以上の信号パターンと受信信号との相関を、対象となる受信信号を時間軸上および周波数軸上でシフトさせながら算出し、相関のピークの出現に基づいて同期パターン５０を検出する。この処理において、受信信号がシフトされる時間軸上および周波数軸上の探索範囲が一定ならば、受信信号の同期パターン５０が長いほど、算出される相関のピークの値は大きくなるため、基地局２００は同期パターン５０を検出しやすくなる。
【００３０】
ペイロード６０は、所定の疑似ランダム符号系列を用いて乗算されることにより拡散される。図２に示されているのは、３００ｂｉｔのペイロード６０が拡散率１６で拡散されたフレームである。拡散後の４８００ｃｈｉｐのペイロードに対して４８００ｃｈｉｐの同期パターンが付加されているため、同期パターン５０がフレーム全体に占める比率（以降、「比率Ｒ」と呼称する）は０．５である。ここで、拡散率が高い程、大きな拡散利得を得ることができるため、復調性能の観点から拡散率を高くすることが好ましい。
【００３１】
（１−３．背景）
以上によって、劣悪な通信環境においても良好な通信品質または長距離伝送を実現するためには、センサ端末１００は、同期パターン５０を長く、かつ、ペイロード６０の拡散率を高く設定する方がよい。しかし、本開示の実施形態のようにフレームが固定長である場合には、同期パターン５０が長くなるとペイロード６０の拡散率が低くなり、ペイロード６０の拡散率が高くなると同期パターン５０が短くなる。したがって、通信環境に応じて比率Ｒを最適化することが求められる。また、通信環境の状態が刻々と変化する場合には、通信環境の状態変化に応じて比率Ｒを適切に変更することが求められる。
【００３２】
ここで、セルラーシステムおよび無線ＬＡＮなどの無線通信システムにおいては、基地局２００またはアクセスポイントのような親局が、同期パターン５０または拡散率などの通信設定を決定し、センサ端末１００のような子局へ通知することで通信が行われる。また、センサ端末１００のような装置は、小型化や低消費電力化などの目的で機能や性能が制限されることがある。そのため、例えば、受信性能が低いことが原因で、センサ端末１００は、基地局２００から送信される、比率Ｒなどの通信設定に関する通知を受信できず、比率Ｒが適切に設定されない場合がある。
【００３３】
そこで、本件開示者は、上記事情に着眼して本開示の実施形態を創作するに至った。本開示の実施形態によれば、センサ端末１００は、フレーム毎に通信設定を柔軟かつ自律的に変更し、より適切な無線信号を送信することができる。また、基地局２００は、この無線信号に対応し、受信信号を復調することができる。以下、このような本開示の実施形態の構成および動作を順次詳細に説明する。
【００３４】
＜２．各装置の構成＞
（２−１．センサ端末の構成）
まず、図３を参照し、本開示の実施形態によるセンサ端末１００の構成を説明する。図３は、本開示の実施形態に係るセンサ端末１００の構成を示す図である。図３に示したように、本開示の実施形態によるセンサ端末１００は、通信部１１０と、制御部１２０と、同期パターン生成部１３０と、ペイロード生成部１４０と、状況取得部１５０と、を備える。また、通信部１１０は、送信部１１１と受信部１１２と、を備える。
【００３５】
通信部１１０は、基地局２００から送信された無線信号の受信処理、および基地局２００への無線信号の送信処理を行う。より具体的に説明すると、通信部１１０に備えられる送信部１１１は、制御部１２０から供給されるベースバンドの送信信号をアップコンバージョンし、アップコンバージョンにより得られた電気信号をアンテナにより無線信号に変換して送信する。また、受信部１１２は、基地局２００から送信された無線信号をアンテナにより電気信号に変換し、当該電気信号にアナログ処理およびダウンコンバージョンを施すことにより、ベースバンドの受信信号を出力する。
【００３６】
状況取得部１５０は、１または２以上のセンサからなる。例えば、状況取得部１５０は、位置センサ、加速度センサ、ジャイロセンサ、温度センサ、気圧センサ、音圧センサおよび脈拍センサなどからなる。そして、状況取得部１５０は、各センサから取得された情報をペイロード生成部１４０に提供することによって、センサデータが含まれるペイロード６０の生成を可能にする。
【００３７】
また、状況取得部１５０は、ＧＳＰ（Ｇｌｏｂａｌ  Ｐｏｓｉｔｉｏｎｉｎｇ  Ｓｙｓｔｅｍ）衛星から絶対時刻を取得し、当該時刻とセンサ端末１００が管理する絶対時刻とを同期させる。
【００３８】
また、状況取得部１５０は、センサ端末１００の位置の変化量を測定し、制御部１２０へ提供する。より具体的に説明すると、状況取得部１５０は、ＧＰＳ衛星からセンサ端末１００の位置情報（緯度、経度）を取得し、単位時間あたりの位置（緯度、経度）の変化量である移動速度を測定する。その後、状況取得部１４０は、移動速度を制御部１２０へ提供することによって、制御部１２０が移動速度を踏まえて同期パターン５０の比率Ｒを決定することを可能にする。また、例えば、移動速度は、加速度センサによって測定されてもよい。
【００３９】
ペイロード生成部１４０は、フレームにおけるペイロード６０を生成する。より具体的に説明すると、ペイロード生成部１４０は、状況取得部１５０から提供されるセンサデータを用いてデータ６１を生成し、ＣＲＣ６２および終端ビット６３を付加した状態で、ＦＥＣ符号化を行う。その後、ペイロード生成部１４０は、誤り訂正符号としてＦＥＣパリティビット６４を挿入することでペイロード６０を生成し、当該ペイロード６０を制御部１２０へ提供する。
【００４０】
同期パターン生成部１３０は、フレームにおける同期パターン５０を生成する。より具体的に説明すると、同期パターン生成部１３０は、制御部１２０によって決定される比率Ｒに基づいて同期パターン５０を生成し、当該同期パターン５０を制御部１２０へ提供する。
【００４１】
制御部１２０は、送信用のフレームを生成するための各処理を行う。より具体的に説明すると、制御部１２０は、状況取得部１５０が取得する各種情報に基づいて比率Ｒを決定し、同期パターン生成部１３０に提供する。これにより、同期パターン生成部１３０は、比率Ｒに基づいた同期パターンを生成することができる。比率Ｒの決定方法については後述する。制御部１２０は、比率Ｒおよびフレーム長（固定長）に基づいて拡散率を求め、当該拡散率に基づいてペイロード６０を拡散する。その後、制御部１２０は、同期パターン生成部１３０が生成した同期パターン５０および拡散後のペイロード６０を用いて送信用のフレームを生成する。
【００４２】
（２−２．基地局の構成）
図４は、本開示の実施形態による基地局２００の構成を示す説明図である。図４に示したように、本開示の実施形態による基地局２００は、通信部２１０と、同期部２２０と、復調部２３０と、制御部２４０と、記憶部２５０と、有線通信部２６０と、を備える。また、通信部２１０は、送信部２１１と受信部２１２と、を備える。
【００４３】
通信部２１０は、センサ端末１００から送信された無線信号の受信処理、およびセンサ端末１００への無線信号の送信処理を行う。より具体的に説明すると、通信部２１０に備えられる受信部２１２は、センサ端末１００から送信された無線信号をアンテナにより電気信号に変換し、当該電気信号にアナログ処理およびダウンコンバージョンを施すことにより、ベースバンドの受信信号を出力する。また、送信部２１１は、制御部２４０から供給されるベースバンドの送信信号をアップコンバージョンし、アップコンバージョンにより得られた電気信号をアンテナにより無線信号に変換して送信する。
【００４４】
同期部２２０は、通信部２１０から出力される受信信号から同期パターン５０を検出する。具体的には、同期部２２０は、１または２以上の信号パターンと受信信号との相関を、演算の対象とする受信信号を時間軸上および周波数軸上でシフトさせながら算出し、相関のピークの出現に基づいて同期パターン５０を検出する。また、同期部２２０は、相関のピークが得られた時の時間軸上のシフト量に基づき、同期タイミングを特定し、相関のピークが得られた時の周波数軸上のシフト量に基づき周波数誤差を特定する。
【００４５】
復調部２３０は、同期部２２０により取得された同期タイミングに基づき、受信信号から図２を参照したフレームにおけるペイロード６０を切り出す。そして、復調部２３０は、ペイロード６０の復調を試みる。本実施形態においては、センサ端末１００が同一のフレームに対応する無線信号を繰り返し送信するので、復調部２３０は、同一のセンサ端末１００から繰り返し送信された複数の無線信号のペイロード６０を受信信号から切り出し、切り出した複数のペイロード６０を合成し、合成後のペイロード６０の復調を試みる。復調が成功したか否かは、図３を参照して説明した、ペイロード６０に含まれるＣＲＣ６２を用いて確認される。
【００４６】
制御部２４０は、基地局２００の通信全般を制御する。例えば、制御部２４０は、復調部２３０がペイロード６０の復調に成功した場合、当該ペイロード６０の送信元のセンサ端末１００にＡＣＫが送信されるよう、通信部２１０を制御する。
【００４７】
記憶部２５０は、復調部２３０がペイロード６０の復調に成功した場合、復調後のデータ等を記憶する。
【００４８】
有線通信部２６０は、アプリケーションサーバ３００とのインタフェースである。有線通信部２６０は、復調部２３０により復調されたペイロード６０に含まれるデータ等を、アプリケーションサーバ３００に送信する。
【００４９】
＜３．各装置の動作＞
上記では、無線通信システムに設けられる各装置の構成について説明した。続いて、各装置の動作について説明する。
【００５０】
（３−１．センサ端末の動作）
まず、図５を参照して、センサ端末１００が無線信号を送信する処理について説明する。図５は、センサ端末１００による無線信号の送信処理を示すフローチャートである。
【００５１】
センサ端末１００の制御部１２０は、送信カウンタ（以降、「Ｎｔｘ」と呼称する）をクリアする（ステップＳ１０００）。Ｎｔｘは、一連の繰り返し処理において、無線信号がセンサ端末１００によって送信された回数を表す。
【００５２】
次いで、制御部１２０は、タイムスロットにおける送信タイミングを決定する（ステップＳ１００４）。より具体的に説明すると、制御部１２０は、無線信号を送信する前に、送信に使用される周波数帯域と同一の周波数帯域が他の装置に使用されていないかを確認する処理（以降、「キャリアセンス」と呼称する）を行うことができる。そして、制御部１２０は、周波数帯域が他の端末に使用されていない状態になってから時間を空けて無線信号を送信する処理（以降「バックオフ」と呼称する）を行うことができる。制御部１２０がキャリアセンスおよびバックオフを行うことによって、複数の装置から送信された無線信号の衝突を防ぐことができる。ここで、制御部１２０は、キャリアセンスまたはバックオフを適宜省略してもよい。バックオフの有無は、後述の比率Ｒが決定される処理にて使用され得る。
【００５３】
そして、制御部１２０は、センサ端末１００の時刻同期誤差を評価する（ステップＳ１００８）。より具体的に説明すると、制御部１２０は、状況取得部１５０によってＧＰＳの絶対時刻との同期が行われてからの経過時間に関する情報を取得する。同期からの経過時間は、後述の比率Ｒが決定される処理にて使用され得る。
【００５４】
その後、制御部１２０は、センサ端末１００の位置変化の評価を行う（ステップＳ１０１２）。より具体的に説明すると、制御部１２０は、状況取得部１５０から単位時間あたりのセンサ端末１００の移動速度に関する情報を取得し、センサ端末１００の移動速度を把握する。センサ端末１００の移動速度は、後述する比率Ｒが決定される処理にて使用され得る。
【００５５】
次いで、制御部１２０は比率Ｒを決定する（ステップＳ１０１６）。詳細については後述する。その後、制御部１２０が比率Ｒに基づいてフレームを生成し、送信部１１１が当該フレームを無線信号へ変換し、基地局２００へ送信する（ステップＳ１０２０）。無線信号の送信後、制御部１２０は、Ｎｔｘへ１を加算する（ステップＳ１０２４）。
【００５６】
そして、制御部１２０は、基地局２００から送信されるＡＣＫを受信するか否かを判断する（ステップＳ１０２８）。制御部１２０が、ＡＣＫを受信するか否かを判断する方法は任意である。例えば、制御部１２０は、センサ端末１００と基地局２００との離隔距離に基づいて判断してもよい。より具体的に説明すると、制御部１２０は、状況取得部１５０が取得するセンサ端末１００の位置情報（経度、緯度）と、基地局２００の（既知の）位置情報に基づいてセンサ端末１００と基地局２００との離隔距離を算出する。そして、制御部１２０は、算出された離隔距離が所定の閾値より小さい場合、ＡＣＫを受信すると判断してもよい。
【００５７】
ここで、センサ端末１００の受信性能は、基地局２００などの受信性能に比べて低いことがあるため、センサ端末１００と基地局２００が離れすぎていると、センサ端末１００がＡＣＫを受信できない可能性がある。上述の方法により、離隔距離が所定の閾値より小さい場合のみＡＣＫが送信されるため、ＡＣＫの受信が失敗する可能性を低くすることができる。
【００５８】
また、制御部１２０は、ＡＣＫを受信するか否かを判断することなく、ＡＣＫを受信しなくてもよい。これにより、センサ端末１００の消費電力を低減することができる。
【００５９】
制御部１２０がＡＣＫを受信すると判断し（ステップＳ１０２８／Ｙｅｓ）、通信部１１０がＡＣＫの受信を確認できた場合（ステップＳ１０３２／Ｙｅｓ）、送信処理が終了する。制御部１２０がＡＣＫを受信しないと判断した場合（ステップＳ１０２８／Ｎｏ）、制御部１２０は無線信号の送信回数を確認する（ステップＳ１０３６）。そして、送信回数が所定の閾値（以降、「Ｎｗｉｎ」と呼称する）に達していない場合（Ｎｔｘ＜Ｎｗｉｎである場合。ステップＳ１０３６／Ｎｏ）、ステップＳ１００４以降の処理が再度実施される。
【００６０】
送信回数がＮｗｉｎに達した場合（Ｎｔｘ＝Ｎｗｉｎである場合。ステップＳ１０３６／Ｙｅｓ）、送信処理が終了する。また、ステップＳ１０３２において、所定の時間、ＡＣＫの受信が確認されない場合（ステップＳ１０３２／Ｎｏ）にも、ステップＳ１０３６の処理が行われる。
【００６１】
以上では、センサ端末１００が無線信号を送信する処理について説明した。続いて、図６を参照しながら、無線信号の送信処理において、制御部１２０が比率Ｒを決定する処理（図５のステップＳ１０１６）について説明する。図６は、センサ端末１００による比率Ｒの決定処理を示すフローチャートである。
【００６２】
まず、制御部１２０は、初期値Ｒ０を決定する（ステップＳ１１００）。初期値Ｒ０は、第１の値として使用される。制御部１２０が初期値Ｒ０を決定する方法については後述する。次いで制御部１２０は、無線信号の送信回数を確認する（ステップＳ１１０４）。そして、送信回数が所定の閾値（以降、「Ｔｈ１」と呼称する）以下である場合（ステップＳ１１０４／Ｎｏ）、制御部１２０は、以下の数式（１）を用いて比率Ｒを算出する（ステップＳ１１１２）。ここで、「０．１２５*Ｎｔｘ」の計算式によって算出される値を第２の値とし、数式（１）によって算出される値を第３の値とする。なお、数式（１）は一例であり、送信回数が増加するにつれて小さな比率Ｒが算出されればよい。
数式（１）：初期値Ｒ０−０．１２５*Ｎｔｘ
【００６３】
送信回数がＴｈ１より大きい場合（ステップＳ１１０４／Ｙｅｓ）、制御部１２０は、以下の数式（２）を用いて比率Ｒを算出する（ステップＳ１１０８）。また、以下の数式（２）も一例であり、送信回数に影響されることなく比率Ｒが算出されればよい。
数式（２）：初期値Ｒ０−０．１２５*Ｔｈ１
【００６４】
次いで、制御部１２０は、算出された比率Ｒを、比率Ｒの最大値として設けられる値（以降、Ｒ_ＭＡＸと呼称する）と比較する（ステップＳ１１１６）。比率ＲがＲ_ＭＡＸより大きい場合（ステップＳ１１１６／Ｙｅｓ）、制御部１２０は、比率ＲをＲ_ＭＡＸと同一の値に変更し（ステップＳ１１２０）、処理を終了する。
【００６５】
また、比率ＲがＲ_ＭＡＸ以下である場合（ステップＳ１１１６／Ｎｏ）、制御部１２０は、比率Ｒを、比率Ｒの最小値として設けられる値（以降、Ｒ_ＭＩＮと呼称する）と比較する（ステップＳ１１２４）。比率ＲがＲ_ＭＩＮ以上である場合（ステップＳ１１２４／Ｎｏ）、制御部１２０は比率Ｒを変更することなく、処理が終了される。
【００６６】
比率ＲがＲ_ＭＩＮより小さい場合（ステップＳ１１２４／Ｙｅｓ）、制御部１２０は、比率ＲをＲ_ＭＩＮと同一の値に変更し（ステップＳ１１２８）、処理を終了する。
【００６７】
以上では、制御部１２０が比率Ｒを決定する処理について説明した。続いて、図７を参照しながら、初期値Ｒ０を決定方法（図６のステップＳ１１００）について説明する。
【００６８】
本開示の実施形態において、制御部１２０は、バックオフの有無、センサ端末１００とＧＰＳ衛星との時刻同期に関する情報またはセンサ端末１００の位置変化に関する情報のうち、少なくとも１つに基づいて初期値Ｒ０を決定する。
【００６９】
まず、バックオフの有無に基づいて初期値Ｒ０が決定されることについて説明する。制御部１２０は、図５のステップＳ１００４にてバックオフが行われる場合、バックオフが行われない場合に比べて初期値Ｒ０に大きな値を設定する。ここで、バックオフが行われる場合、基地局２００が１または２以上の信号パターンと受信信号との相関のピークを探索する際、基地局２００が時間軸上のより広い範囲を探索しなければ同期パターン５０を検出できない可能性がある。したがって、バックオフが行われる場合、バックオフが行われない場合に比べて初期値Ｒ０に大きな値が設定されることによって、基地局２００が同期パターン５０を検出できる可能性が高くなる。
【００７０】
次に、センサ端末１００とＧＰＳ衛星との時刻同期に関する情報に基づいて初期値Ｒ０が決定されることについて説明する。制御部１２０は、図５のステップＳ１００８にて取得された時刻同期後の経過時間が長い程、初期値Ｒ０に大きな値を設定する。ここで、一般的に、時刻同期後の経過時間が長い程、センサ端末１００の絶対時刻の誤差は大きくなる。基地局２００の絶対時刻がＧＰＳ衛星の絶対時刻と同期がとれているとすると、センサ端末１００の絶対時刻の誤差が大きい程、センサ端末１００が無線信号を送信しようとする時刻と基地局２００が無線信号を受信しようとする時刻の差が大きくなる。この場合、基地局２００が１または２以上の信号パターンと受信信号との相関のピークを探索する際、基地局２００が時間軸上のより広い範囲を探索しなければ同期パターン５０を検出できない可能性がある。したがって、時刻同期後の経過時間が長い程、初期値Ｒ０に大きな値が設定されることによって、基地局２００が同期パターン５０を検出しやすくなる。
【００７１】
次に、センサ端末１００の位置変化に関する情報に基づいて初期値Ｒ０が決定されることについて説明する。制御部１２０は、図５のステップＳ１０１２にて把握された、センサ端末１００の移動速度が速い程、初期値Ｒ０に大きな値を設定する。センサ端末１００の移動速度が速い程、通信環境が大きく変更する可能性がある。そのため、基地局２００が１または２以上の信号パターンと受信信号との相関のピークを探索する際、基地局２００が時間軸上のより広い範囲を探索しなければピークを検出できない可能性がある。また、センサ端末１００の移動速度が速い程、ドップラー効果による、信号の周波数の変動量が大きくなる。基地局２００が受信する受信信号の周波数誤差が大きくなるため、基地局２００が相関のピークを探索する際、基地局２００が周波数軸上のより広い範囲を探索しなければピークを検出できない可能性がある。したがって、センサ端末１００の移動速度が速い程、初期値Ｒ０に大きな値が設定されることによって、基地局２００が同期パターン５０を検出しやすくなる。
【００７２】
続いて、図７を参照して、以上の方法で決定される初期値Ｒ０の一例を説明する。図７には、バックオフの有無、センサ端末１００による時刻同期後の経過時間、およびセンサ端末１００の移動速度の全てによって初期値Ｒ０が決定される例が示されている。
【００７３】
図７において、（時刻同期後の経過時間及び移動速度の条件は一定とすると）バックオフが行われる場合は、バックオフが行われない場合に比べて初期値Ｒ０に大きな値が設定されている。また、（バックオフ及び移動速度の条件は一定とすると）センサ端末１００の時刻同期後の経過時間が所定の閾値（以降、「ＴｈＣ」と呼称する）以上である場合は、時刻同期後の経過時間がＴｈＣより小さい場合に比べて初期値Ｒ０に大きな値が設定されている。また、センサ端末１００の移動速度が所定の２つの閾値（以降、「ＴｈＡ」「ＴｈＢ」と呼称する）と比較され（バックオフ及び時刻同期後の経過時間の条件は一定とすると）、移動速度がＴｈＡ以上である場合、ＴｈＡより小さくＴｈＢ以上である場合、ＴｈＢより小さい場合の順に初期値Ｒ０が小さくなるように設定されている。
【００７４】
図７は一例であるため、各値は任意に変更され得る。また、制御部１２０は、バックオフの有無、時刻同期後の経過時間、または移動速度のうちの一部を用いて初期値Ｒ０を決定してもよい。例えば、制御部１２０は、バックオフの有無および時刻同期後の経過時間を用いて初期値Ｒ０を決定してもよい。また、閾値は任意の数が用いられてもよい。例えば、移動速度が１つの閾値と比較されてもよいし、時刻同期後の経過時間が２以上の閾値と比較されても良い。
【００７５】
図５〜図７を参照して説明した方法により、一連の繰り返し送信において、制御部１２０は、無線信号が送信されるにつれて、比率Ｒが低い値になるように比率Ｒを決定する（数式（１）を参照）。これにより、一連の繰り返し送信の最初の送信（または最初に近い送信）においては、基地局２００は同期パターンを検出しやすい。
【００７６】
また、基地局２００は、一度同期パターンを検出すると、その後に送信される受信信号の周波数を予測することが可能である。より具体的に説明すると、基地局２００によって観測される周波数誤差は、ドップラー効果等に起因するチャネル変動による周波数誤差と、センサ端末１００固有の周波数ずれによって構成される。周波数ずれは、センサ端末１００に搭載されている発振器固有の誤差であると考えられる。ここで、基地局２００によって観測される周波数誤差は、短時間であれば一定とみなすことができる。したがって、基地局２００が受信信号の相関のピークを探索する際に、直前に送信された受信信号の周波数と同一または近い周波数に限定してピークを探索することによって、基地局２００が同期パターンを検出できる可能性が高くなる。
【００７７】
また、基地局２００は、一度同期パターンを検出すると、その後に送信される受信信号の同期タイミングを予測することが可能である。より具体的に説明すると、基地局２００によって観測される同期タイミングのずれは、キャリアセンスの結果に基づくバックオフの時間とセンサ端末１００固有の時刻ずれによって構成される。時刻ずれは、センサ端末１００に搭載されている発振器固有の誤差であると考えられる（ＧＰＳ衛星の絶対時刻に同期することで補正可能）。ここで、時刻ずれは、バックオフが行われない場合は、短時間であれば一定とみなすことができる。したがって、基地局２００が受信信号の相関のピークを探索する際に、直前に送信された受信信号のタイムスロットにおける同期タイミング（割り当てられたタイムスロットの開始時から受信信号の開始時までの時間）と同一または近い時間に限定してピークを探索することによって、基地局２００が同期パターンを検出できる可能性が高くなる。
【００７８】
つまり、一連の繰り返し送信において、比率Ｒが低減されることによって、基地局２００は、同期パターンの検出精度を保ちつつ、拡散利得の高い信号を取得することができる。このように、制御部１２０は、自律的かつ送信されるフレーム毎に適切な比率Ｒを決定し、フレームを生成することができる。
【００７９】
以上では、センサ端末１００が無線信号を生成し、送信する処理について説明した。続いて、図８を参照して、基地局２００が無線信号を受信する処理について説明する。図８は、基地局２００による無線信号の受信処理を示すフローチャートである。
【００８０】
まず、基地局２００は、受信カウンタ（以降、「Ｎｒｘ」と呼称する）をクリアする（ステップＳ１２００）。Ｎｒｘは、一連の繰り返し処理において、無線信号が基地局２００によって受信された回数を表す。
【００８１】
次いで、制御部２４０は、同期パターン５０の検出に使用される１または２以上の信号パターンを生成する（ステップＳ１２０４）。より具体的に説明すると、制御部２４０は、センサ端末１００によって送信される信号の比率Ｒのパターンおよびフレーム長（固定長）を把握しており、これらの情報に基づいて１または２以上の信号パターンを生成する。これにより、基地局２００は、送信される信号の比率Ｒの値を把握していなくても、１または２以上の信号パターンと受信信号との相関演算を行うことによって、同期パターン５０を検出することができる。
【００８２】
その後、基地局２００がセンサ端末１００から無線信号を受信した場合、受信部２１２は、無線信号を変換し、ベースバンドの受信信号を取得し（ステップＳ１２０８）、Ｎｒｘへ１を加算する（ステップＳ１２１２）。
【００８３】
続いて、同期部２２０は、１または２以上の信号パターンと受信信号との相関演算（ステップＳ１２１６）を行うことによって、相関のピーク値を探索する（ステップＳ１２２０）。そして、ピーク値が探索された場合には、同期部２２０は、当該ピーク値と所定の閾値とを比較する。ピーク値が所定の閾値以上である場合（ステップＳ１２２４／Ｙｅｓ）、復調部２３０は、ピーク値が正しいと判断し、復調処理を行う（ステップＳ１２２８）。復調処理については後述する。
【００８４】
ピーク値が所定の閾値より小さい場合（ステップＳ１２２４／Ｎｏ）、同期部２２０は、受信信号がペイロード６０のみを含むか否かを判断する（ステップＳ１２４４）。より具体的に説明すると、一連の繰り返し送信において比率Ｒが低減された結果、比率Ｒがゼロ、つまり同期パターン５０が含まれずペイロード６０のみが含まれる信号が送信される場合が考えられる（その際、図６のＲ_ＭＩＮはゼロである）。受信信号がペイロード６０のみを含むと判断された場合（ステップＳ１２４４／Ｙｅｓ）も、復調部２３０は、復調処理を行う（ステップＳ１２２８）。
【００８５】
そして、復調部２３０は、ＣＲＣを用いる確認によって復調が成功したか否かを確認する（ステップＳ１２３２）。ＣＲＣによって復調の成功が確認された場合（ステップＳ１２３２／Ｙｅｓ）、制御部２４０は、センサ端末１００へＡＣＫを送信するか否かを判断する（ステップＳ１２３６）。制御部２４０が、センサ端末１００へＡＣＫを送信すると判断した場合（ステップＳ１２３６／Ｙｅｓ）、送信部２１１は、センサ端末１００へＡＣＫを送信し（ステップＳ１２４０）、処理を終了する。制御部２４０は、センサ端末１００へＡＣＫを送信しないと判断した場合（ステップＳ１２３６／Ｎｏ）、処理を終了する。
【００８６】
ステップＳ１２３２において、ＣＲＣによって復調の成功が確認されない場合（ステップＳ１２３２／Ｎｏ）および、ステップＳ１２４４において、受信信号がペイロード６０のみを含むものではないと判断された場合（ステップＳ１２４４／Ｎｏ）、制御部２４０は無線信号の受信回数を確認する（ステップＳ１２４８）。そして、受信回数が所定の閾値（以降、「Ｎｗｉｎ」と呼称する）に達していない場合（Ｎｒｘ＜Ｎｗｉｎである場合。ステップＳ１２４８／Ｎｏ）、ステップＳ１２０８以降の処理が再度実施される。受信回数がＮｗｉｎに達した場合（Ｎｒｘ＝Ｎｗｉｎである場合。ステップＳ１２４８／Ｙｅｓ）、処理が終了される。
【００８７】
以上では、基地局２００が無線信号を受信する処理について説明した。続いて、図９を参照しながら、無線信号の受信処理における復調処理（図８のステップＳ１２２８）について説明する。図９は、基地局２００による受信信号の復調処理を示すフローチャートである。
【００８８】
まず、同期部２２０は、１または２以上の信号パターンと受信信号との相関のピークが得られた時の時間軸上のシフト量に基づき同期タイミングを推定し、周波数軸上のシフト量に基づき周波数誤差を推定する（ステップＳ１３００）。そして、同期部２２０は、相関のピークが得られた信号パターンに基づいて受信信号の比率Ｒを判定する（ステップＳ１３０４）。
【００８９】
その後、復調部２３０は、推定された同期タイミングに基づき、受信信号からペイロード６０を切り出し（ステップＳ１３０８）、推定された周波数誤差に基づきペイロード６０の補正を行う（ステップＳ１３１２）。そして、復調部２３０は、ステップＳ１３０４にて判定された比率Ｒに基づいて拡散率を算出し、当該拡散率を用いてフレームの逆拡散による同相加算を行う（ステップＳ１３１６）
【００９０】
次いで、復調部２３０は、一連の繰り返し送信におけるペイロード６０に対して行った同相加算の結果を累積して加算する（ステップＳ１３２０）。最後に、復調部２３０は、ＦＥＣ復号の処理を行うことで、ペイロード６０に含まれるデータを取得し（ステップＳ１３２４）、処理を終了する。
【００９１】
以上の復調処理によって、ペイロード６０に対するノイズの影響を低減し、ＦＥＣ復号が成功する確率を上げることができる。
【００９２】
＜４．変形例＞
続いて、図１０を参照しながら、本開示の実施形態の変形例について説明する。図１０は、センサ端末１００が送信するフレームの変形例を示す図である。
【００９３】
図１０には、センサ端末１００が同期パターン５０およびペイロード６０を符号分割することで生成したフレームが示されている。同期パターン５０およびペイロード６０の生成方法は、図２を用いて説明した方法と同一である。
【００９４】
センサ端末１００の制御部１２０は、フレーム長（固定長）に対応する拡散率によってペイロード６０を拡散する（図１０には、拡散率が３２の場合の例が示されている）。そして、制御部１２０は、同期パターン生成部１３０が生成した同期パターン５０および拡散後のペイロード６０を符号分割することによって送信用のフレームを生成する。例えば、制御部１２０は、同期パターン５０の符号系列と直交する符号系列を用いてペイロード６０を拡散することで符号分割を行う。
【００９５】
この時、制御部１２０は、図６に示した処理によって算出された比率Ｒに基づいて同期パターン５０およびペイロード６０の信号電力が全体の信号電力に占める比率を決定する。図１０に示した例においては、同期パターン５０の信号電力が全体の信号電力に占める比率は０．５であり、ペイロード６０の信号電力が全体の信号電力に占める比率も０．５である。また、フレーム全体の信号電力は一定である。さらに、生成されたフレームにおいて、同期パターン５０とペイロード６０の長さは一致する（つまり拡散率は一定である）。
【００９６】
本開示は、上述のように同期パターン５０とペイロード６０が符号分割されることによって生成されたフレームに対しても適用することができる。
【００９７】
＜５．ハードウェア構成＞
以上、本開示の実施形態および変形例を説明した。上述した送信処理または受信処理などは、ソフトウェアと、以下に説明するセンサ端末１００または基地局２００のハードウェアとの協働により実現される。
【００９８】
図１１は、本開示の実施形態に係るセンサ端末１００および基地局２００のハードウェア構成を示す図である。図１１に示したように、センサ端末１００および基地局２００は、ＣＰＵ（Ｃｅｎｔｒａｌ  Ｐｒｏｃｅｓｓｉｎｇ  Ｕｎｉｔ）９０１と、ＲＯＭ（Ｒｅａｄ  Ｏｎｌｙ  Ｍｅｍｏｒｙ）９０２と、ＲＡＭ（Ｒａｎｄｏｍ  Ａｃｃｅｓｓ  Ｍｅｍｏｒｙ）９０３と、入力装置９０８と、出力装置９１０と、ストレージ装置９１１と、送受信装置９１５とを備える。
【００９９】
ＣＰＵ９０１は、演算処理装置および制御装置として機能し、各種プログラムに従ってセンサ端末１００および基地局２００内の動作全般を制御する。また、ＣＰＵ９０１は、マイクロプロセッサであってもよい。ＲＯＭ９０２は、ＣＰＵ９０１が使用するプログラムや演算パラメータ等を記憶する。ＲＡＭ９０３は、ＣＰＵ９０１の実行において使用するプログラムや、その実行において適宜変化するパラメータ等を一時記憶する。これらはＣＰＵバスなどから構成されるホストバスにより相互に接続されている。当該ＣＰＵ９０１、ＲＯＭ９０２およびＲＡＭ９０３とソフトウェアとの協働により、センサ端末１００の制御部１２０、同期パターン生成部１３０、ペイロード生成部１４０、状況取得部１５０および基地局２００の同期部２２０、復調部２３０、制御部２４０の機能が実現される。
【０１００】
入力装置９０８は、マウス、キーボード、タッチパネル、ボタン、マイクロフォン、スイッチおよびレバーなどユーザが情報を入力するための入力手段と、ユーザによる入力に基づいて入力信号を生成し、ＣＰＵ９０１に出力する入力制御回路などから構成されている。センサ端末１００および基地局２００のユーザは、該入力装置９０８を操作することにより、センサ端末１００および基地局２００に対して各種のデータを入力したり処理動作を指示したりすることができる。
【０１０１】
出力装置９１０は、例えば、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置およびランプなどの表示装置を含む。さらに、出力装置９１０は、スピーカおよびヘッドホンなどの音声出力装置を含む。例えば、表示装置は、撮像された画像や生成された画像などを表示する。一方、音声出力装置は、音声データ等を音声に変換して出力する。
【０１０２】
ストレージ装置９１１は、本実施形態にかかるセンサ端末１００および基地局２００の記憶部の一例として構成されたデータ格納用の装置である。ストレージ装置９１１は、記憶媒体、記憶媒体にデータを記録する記録装置、記憶媒体からデータを読み出す読出し装置および記憶媒体に記録されたデータを削除する削除装置などを含んでもよい。このストレージ装置９１１は、ＣＰＵ９０１が実行するプログラムや各種データを格納する。
【０１０３】
送受信装置９１５は、例えば、センサ端末１００および基地局２００に接続するための通信デバイス等で構成された通信インタフェースである。
【０１０４】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１０５】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１０６】
なお、以下のような構成も本開示の技術的範囲に属する。
（１）
同じデータが含まれる複数の無線フレームを送信する通信部と、
前記複数の無線フレームに含まれる無線フレーム毎に同期パターンとペイロードの比率を決定する制御部と、を備える、
無線装置。
（２）
前記制御部は、前記無線フレーム毎に前記比率を自律的に決定する、
前記（１）に記載の無線装置。
（３）
前記制御部は、バックオフの有無、前記無線装置の位置変化または前記無線装置とＧＰＳ衛星の時刻同期に関する情報のうちの少なくとも１つに基づいて前記比率を決定する、
前記（１）または（２）のいずれか１項に記載の無線装置。
（４）
前記制御部は、前記情報のうちの少なくとも１つと前記無線フレームが送信された回数に基づいて前記比率を決定する、
前記（３）に記載の無線装置。
（５）
前記制御部は、前記情報のうちの少なくとも１つに基づいて第１の値を決定し、前記回数に基づいて第２の値を決定し、前記第２の値を前記第１の値から引いて得られる第３の値を前記比率とする、
前記（４）に記載の無線装置。
（６）
前記制御部は、前記回数が閾値以下の場合、前記回数の増加に伴い前記第２の値を増加させる、
前記（５）に記載の無線装置。
（７）
前記制御部は、バックオフが有る場合の第１の値を、バックオフが無い場合の第１の値より大きな値に設定する、
前記（３）から（６）のいずれか１項に記載の無線装置。
（８）
前記制御部は、前記位置変化が閾値以上である場合の第１の値を、前記位置変化が閾値より小さい場合の第１の値より大きな値に設定する、
前記（３）から（７）のいずれか１項に記載の無線装置。
（９）
前記制御部は、前記時刻同期が行われてからの経過時間が閾値以上である場合の第１の値を、前記経過時間が閾値より小さい場合の第１の値より大きな値に設定する、
前記（３）から（８）のいずれか１項に記載の無線装置。
（１０）
前記制御部は、前記比率に基づいて前記同期パターンと前記ペイロードを時分割することで前記無線フレームを生成する、
前記（１）から（９）のいずれか１項に記載の無線装置。
（１１）
前記制御部は、前記比率に基づいて前記同期パターンおよび前記ペイロードに割り当てられる信号電力を決定し、前記同期パターンと前記ペイロードを符号分割することで前記無線フレームを生成する、
前記（１）から（９）のいずれか１項に記載の無線装置。
（１２）
同じデータが含まれる複数の無線フレームを送信することと、
前記複数の無線フレームに含まれる無線フレーム毎に同期パターンとペイロードの比率を決定することと、を有する、
制御方法。
（１３）
長さが異なる複数の探索用の同期パターンと受信された無線フレームの同期パターンとの相関演算によって、前記無線フレームの同期パターンを特定する同期部を備える、
通信装置。
（１４）
前記同期部は、前記相関演算の結果に基づいて、前記無線フレームの後に受信される無線フレームが探索される周波数範囲を設定する、
前記（１３）に記載の通信装置。
（１５）
前記相関演算によって特定された前記無線フレームの同期パターンを用いて前記無線フレームからペイロードを取得し、取得されたペイロードを合成し、合成後のペイロードに対して復調処理を行う復調部をさらに備える、
前記（１３）から（１４）のいずれか１項に記載の通信装置。
（１６）
長さが異なる複数の探索用の同期パターンと受信された無線フレームの同期パターンとの相関演算によって、前記無線フレームの同期パターンを特定することを含む、
通信制御方法。
【符号の説明】
【０１０７】
１００    センサ端末
２００    基地局
３００    アプリケーションサーバ
【図１】
0006740718.tif 000002
【図２】
0006740718.tif 000003
【図３】
0006740718.tif 000004
【図４】
0006740718.tif 000005
【図５】
0006740718.tif 000006
【図６】
0006740718.tif 000007
【図７】
0006740718.tif 000008
【図８】
0006740718.tif 000009
【図９】
0006740718.tif 000010
【図１０】
0006740718.tif 000011
【図１１】
0006740718.tif 000012